(57)【要約】ＳＮＳ相談を支援するための方法において、相談者に対する相談員の効率的な割り当てを行う。支援サーバ１００は、相談者端末１２０との通信に基づいて行う新たな相談が発生したこと又は発生し得ることを検知する（Ｓ３０１）。次に、支援サーバ１００は、相談者端末１２０に対し、相談前質問を送信する（Ｓ３０２）。相談前質問は、たとえば相談内容を特徴づけるカテゴリの付与が可能な階層的な複数の質問とすることができる。このような相談前質問に対する１又は複数の回答に基づいて（Ｓ３０３）、支援サーバ１００は、相談内容に当該回答に対応するカテゴリを判定して当該相談内容に付与する（Ｓ３０４）。各相談員の対応可能なカテゴリを記憶部１０３又は装置１００からアクセス可能な記憶媒体又は記憶装置に記憶しておけば、相談内容にカテゴリを付与することで、当該相談内容に適切に対応可能な相談員の割り当てを行うことができる。
2020059724.tif 000002
【特許請求の範囲】
【請求項１】
ＳＮＳ相談を支援するための方法であって、
相談者端末との通信に基づいて、新たな相談が発生したこと又は発生し得ることを検知するステップと、
前記検知の後に、前記相談者端末に相談前質問を送信するステップと、
前記相談者端末から、前記相談前質問に対する回答を受信するステップと
を含むことを特徴とする方法。
【請求項２】
前記相談前質問は、階層的な複数の質問であることを特徴とする請求項１に記載の方法。
【請求項３】
前記相談前質問に対する１又は複数の回答に対応するカテゴリを前記相談内容に付与するステップをさらに含むことを特徴とする請求項１又は２に記載の方法。
【請求項４】
前記相談者端末の相談者に前記相談内容に付与された前記カテゴリの相談に対応可能な相談員を割り当てるステップをさらに含むことを特徴とする請求項３に記載の方法。
【請求項５】
相談内容に付与可能な複数のカテゴリには優先順位が設定されていることを特徴とする請求項３又は４に記載の方法。
【請求項６】
前記相談者端末の相談者に割り当て可能な相談員がいない場合に前記相談内容のスコアリングを行うステップをさらに含むことを特徴とする請求項３に記載の方法。
【請求項７】
前記スコアリングは、前記相談者が前記相談内容について入力した内容に基づいて行うことを特徴とする請求項６に記載の方法。
【請求項８】
前記スコアリングは、前記相談者が前記相談内容について入力した内容に含まれる１又は複数のキーワードに予め定められたスコアの合計値又はこれに対応する値を算出することにより行うことを特徴とする請求項７に記載の方法。
【請求項９】
前記カテゴリを付与した後に、前記相談者端末に前記相談内容についての入力を促すメッセージを送信するステップをさらに含むことを特徴とする請求項６から８のいずれかに記載の方法。
【請求項１０】
前記スコアリングは、前記相談者が追加で入力を行った場合にスコアを更新することを特徴とする請求項６から９のいずれかに記載の方法。
【請求項１１】
前記相談内容に付与された前記カテゴリの相談に対応可能な相談員が割り当て可能となった場合、前記相談内容のスコアが前記カテゴリが付与された他の相談内容のスコアよりも高いとき、前記相談者端末の相談者に前記相談員を割り当てるステップをさらに含むことを特徴とする請求項６から１０のいずれかに記載の方法。
【請求項１２】
前記相談内容のスコアが所定の閾値に達した場合又は閾値を超えた場合、管理者端末又は相談員端末に緊急通知を送信するステップをさらに含むことを特徴とする請求項６から１１のいずれかに記載の方法。
【請求項１３】
前記相談前質問を送信する前に、前記相談者端末に相談者が自らの相談内容について理解を深めるためのコンテンツを送信するステップをさらに含むことを特徴とする請求項１から１２のいずれかに記載の方法。
【請求項１４】
コンピュータに、ＳＮＳ相談を支援するための方法を実行させるためのプログラムであって、前記方法は、
相談者端末との通信に基づいて、新たな相談が発生したこと又は発生し得ることを検知するステップと、
前記検知の後に、前記相談者端末に相談前質問を送信するステップと、
前記相談者端末から、前記相談前質問に対する回答を受信するステップと
を含むことを特徴とする方法。
【請求項１５】
ＳＮＳ相談を支援するための装置であって、
相談者端末との通信に基づいて、新たな相談が発生したこと又は発生し得ることを検知し、
前記検知の後に、前記相談者端末に相談前質問を送信し、
前記相談者端末から、前記相談前質問に対する回答を受信することを特徴とする装置。
【発明の詳細な説明】
【技術分野】
【０００１】
本発明は、ＳＮＳ相談を支援するための装置、方法及びそのためのプログラムに関する。
【背景技術】
【０００２】
中高生を中心とした若者へのＳＮＳの急速な浸透を受けて、これまでさまざまな団体が電話によって提供してきた若者に対する悩み相談は時代に合わないものとなっている。若者のコミュニケーションは電話からＳＮＳに軸足が移っており、電話で相談するという行為の敷居は高い。【０００３】
このような中、いくつかの団体ではＳＮＳを用いた悩み相談（以下「ＳＮＳ相談」とも呼ぶ。）が試みられている。たとえば、２０１７年には長野県でＬＩＮＥ（登録商標）による悩み相談が実施された（非特許文献１参照）。また、２０１８年３月には厚生労働省の「自殺対策強化月間」の取組みとして広く若者一般を対象としてＳＮＳ相談による自殺相談を受けつけ、１月で約１万件の相談対応が行われた（非特許文献２参照）。
【先行技術文献】
【非特許文献】
【０００４】
【非特許文献１】“LINEを利用したいじめ・自殺相談の結果について”、[online]、平成30年5月、長野県教育委員会、[平成30年9月14日検索]、インターネット〈https://www.pref.nagano.lg.jp/kyoiku/kyoiku/shido/sodan/documents/shikoukekkanogaiyou.pdf〉
【非特許文献２】“自殺対策強化月間(３月)SNS相談事業の実施結果を公表します”、[online]、平成30年4月27日、厚生労働省、[平成30年9月14日検索]、インターネット〈https://www.mhlw.go.jp/stf/houdou/0000204757.html〉
【発明の概要】
【発明が解決しようとする課題】
【０００５】
しかしながら、ＳＮＳによって敷居が下がり、より多くの相談が寄せられるようになるとすべての相談に即座に対応する相談体制を整えることが容易ではなくなる。混雑時に「只今混雑しており、しばらく経ってからご相談ください。」といったメッセージを自動応答で送信したり、相談者からのメッセージに既読を付けつつも返信をすることが出来なかったりすれば、勇気を出して相談をしてきてくれた若者を落胆させ、二度と相談をしようとおもわなくなるおそれがある。【０００６】
本発明は、このような問題点に鑑みてなされたものであり、その目的は、ＳＮＳ相談を支援するための装置、方法及びそのためのプログラムにおいて、混雑時における相談者に対する相談員の効率的な割り当てを行うことにあり、より一般には、相談者に対する相談員の効率的な割り当てを行うことにある。
【課題を解決するための手段】
【０００７】
このような目的を達成するために、本発明の第１の態様は、ＳＮＳ相談を支援するための方法であって、相談者端末との通信に基づいて、新たな相談が発生したこと又は発生し得ることを検知するステップと、前記検知の後に、前記相談者端末に相談前質問を送信するステップと、前記相談者端末から、前記相談前質問に対する回答を受信するステップとを含むことを特徴とする。【０００８】
また、本発明の第２の態様は、第１の態様において、前記相談前質問は、階層的な複数の質問であることを特徴とする。【０００９】
また、本発明の第３の態様は、第１又は第２の態様において、前記相談前質問に対する１又は複数の回答に対応するカテゴリを前記相談内容に付与するステップをさらに含むことを特徴とする。【００１０】
また、本発明の第４の態様は、第３の態様において、前記相談者端末の相談者に前記相談内容に付与された前記カテゴリの相談に対応可能な相談員を割り当てるステップをさらに含むことを特徴とする。【００１１】
また、本発明の第５の態様は、第３又は第４の態様において、相談内容に付与可能な複数のカテゴリには優先順位が設定されていることを特徴とする。【００１２】
また、本発明の第６の態様は、第３の態様において、前記相談者端末の相談者に割り当て可能な相談員がいない場合に前記相談内容のスコアリングを行うステップをさらに含むことを特徴とする。【００１３】
また、本発明の第７の態様は、第６の態様において、前記スコアリングは、前記相談者が前記相談内容について入力した内容に基づいて行うことを特徴とする。【００１４】
また、本発明の第８の態様は、第７の態様において、前記スコアリングは、前記相談者が前記相談内容について入力した内容に含まれる１又は複数のキーワードに予め定められたスコアの合計値又はこれに対応する値を算出することにより行うことを特徴とする。【００１５】
また、本発明の第９の態様は、第６から第８のいずれかの態様において、前記カテゴリを付与した後に、前記相談者端末に前記相談内容についての入力を促すメッセージを送信するステップをさらに含むことを特徴とする。【００１６】
また、本発明の第１０の態様は、第６から第９のいずれかの態様において、前記スコアリングは、前記相談者が追加で入力を行った場合にスコアを更新することを特徴とする。【００１７】
また、本発明の第１１の態様は、第６から第１０のいずれかの態様において、前記相談内容に付与された前記カテゴリの相談に対応可能な相談員が割り当て可能となった場合、前記相談内容のスコアが前記カテゴリが付与された他の相談内容のスコアよりも高いとき、前記相談者端末の相談者に前記相談員を割り当てるステップをさらに含むことを特徴とする。【００１８】
また、本発明の第１２の態様は、第６から第１１のいずれかの態様において、前記相談内容のスコアが所定の閾値に達した場合又は閾値を超えた場合、管理者端末又は相談員端末に緊急通知を送信するステップをさらに含むことを特徴とする。【００１９】
また、本発明の第１３の態様は、第１から第１２のいずれかの態様において、前記相談前質問を送信する前に、前記相談者端末に相談者が自らの相談内容について理解を深めるためのコンテンツを送信するステップをさらに含むことを特徴とする。【００２０】
また、本発明の第１４の態様は、コンピュータに、ＳＮＳ相談を支援するための方法を実行させるためのプログラムであって、前記方法は、相談者端末との通信に基づいて、新たな相談が発生したこと又は発生し得ることを検知するステップと、前記検知の後に、前記相談者端末に相談前質問を送信するステップと、前記相談者端末から、前記相談前質問に対する回答を受信するステップとを含むことを特徴とする。【００２１】
また、本発明の第１５の態様は、ＳＮＳ相談を支援するための装置であって、相談者端末との通信に基づいて、新たな相談が発生したこと又は発生し得ることを検知し、前記検知の後に、前記相談者端末に相談前質問を送信し、前記相談者端末から、前記相談前質問に対する回答を受信することを特徴とする。
【発明の効果】
【００２２】
本発明の一態様によれば、相談者端末に対して相談前質問を送信することによって、相談者から相談内容に関する反応を引き出し、相談員の割り当てを効率化することができる。
【図面の簡単な説明】
【００２３】
【図１】本発明の第１の実施形態にかかるＳＮＳ相談支援装置を示す図である。
【図２】本発明の第１の実施形態にかかるＳＮＳ相談支援方法を示す図である。
【図３】本発明の第１の実施形態にかかるカテゴリ付与までの流れを示す図である。
【図４】本発明の第２の実施形態において管理者端末に表示する相談者リストの一例を示す図である。
【発明を実施するための形態】
【００２４】
以下、図面を参照して本発明の実施形態を詳細に説明する。
【００２５】
（第１の実施形態）  
図１に、本発明の第１の実施形態にかかるＳＮＳ相談支援装置を示す。装置１００は、ＳＮＳサービスを提供するためのＳＮＳサーバ１１０を介して相談者の相談者端末１２０と通信を行い、また、相談員の相談員端末１３０、そして必要に応じて相談窓口管理者のための管理者端末１４０と通信を行う。各端末の数はあくまで図示のための例示である。
【００２６】
ＳＮＳサーバ１１０が提供するＳＮＳ（Ｓｏｃｉａｌ  Ｎｅｔｗｏｒｋ  Ｓｅｒｖｉｃｅ）では、ユーザ間でメッセージの送受信を行うことができ、ＳＮＳサーバ１１０が一方のユーザから送信されたメッセージを他方のユーザに送信し、当該他方のユーザからの返信のメッセージを当該一方のユーザに送信することができる。
【００２７】
本実施形態では、ユーザとして相談窓口のアカウントと各相談者のアカウントがあり、相談者が相談窓口を宛先としてメッセージの送信を行い、当該相談窓口から返信を受信する。相談窓口宛てのメッセージは、装置１００がＳＮＳサーバ１１０からたとえばＡＰＩを用いて受信し、相談員端末１３０において表示又は表示可能とする。当該相談者と会話を行う相談員の相談員端末１３０から送信されたメッセージは、装置１００がたとえばＡＰＩを用いてＳＮＳサーバ１１０に渡し、ＳＮＳサーバ１１０から相談者端末１２０に送信される。管理者端末１４０においても相談窓口宛てのメッセージを表示可能であり、相談員端末１３０と管理者端末１４０とは直接的又は装置１００を介して間接的に通信可能である。
【００２８】
以下、ＳＮＳサーバ１１０とは別個に支援サーバ１００が存在する例を説明するが、支援サーバ１００自体がＳＮＳサービスを提供する場合もあり、この場合には、以下で説明する支援サーバ１００とＳＮＳサーバ１１０との間のデータの送受信は、同一サーバにおけるデータの取得又は読み出しになる。
【００２９】
支援サーバ又は装置１００は、通信インターフェースなどの通信部１０１と、プロセッサ、ＣＰＵ等の処理部１０２と、メモリ、ハードディスク等の記憶装置又は記憶媒体を含む記憶部１０３とを備え、各処理を行うためのプログラムを実行することによって構成することができ、１又は複数の装置ないしサーバを含むことがある。また、当該プログラムは１又は複数のプログラムを含むことがあり、コンピュータ読み取り可能な記憶媒体に記録して非一過性のプログラムプロダクトとすることができる。
【００３０】
まず、相談者端末１２０からＳＮＳサーバ１１０を介して支援サーバ１００に相談者による発言が送信される（Ｓ２０１）。発言としては、「相談してもよいですか？」「いじめられています。」等さまざまな内容が考えられる。相談者端末１２０から当該発言を受信した支援サーバ１００は、相談員の稼働状況を参照して、割り当て可否を判定することができる（Ｓ２０２）。割り当て可否の判定は、ここでは相談者端末１２０からの発言の受信に応じて行うが、相談者端末１２０において相談窓口のアカウントが友達登録されたことなど、相談者端末１２０との通信に基づいて行う新たな相談が発生したこと又は発生し得ることの検知に応じて行うようにしてもよい。
【００３１】
支援サーバ１００は、各相談員の稼働状況を記憶しておき、新たな相談者からの相談が発生した際にこれを参照して相談員の当該相談者への割り当てを行うことができる。稼働状況は、支援サーバ１００の記憶部１０３ではなく、支援サーバ１００からアクセス可能な記憶媒体又は記憶装置に記憶してもよい。相談員の割り当てが可能である場合、支援サーバ１００は当該相談員の相談員端末１３０に割り当て通知（図示せず）を送信し、当該相談員は当該相談者との会話を開始する。割り当てを支援サーバ１００が自動的に行う代わりに、管理者端末１４０に上記稼働状況が表示可能であり、かつ、相談員を割り当てるべき新たな１又は複数の相談者のリストを表示可能であれば、管理者が割り当ての判断を行って、判断結果を支援サーバ１００を通じて割り当てた相談員の相談員端末１３０に割り当て通知として送信することもできる。
【００３２】
割り当て可能な相談員がいない場合、支援サーバ１００は、相談者端末１２０に対し、相談前質問を送信する（Ｓ２０３）。相談前質問は、自動的に送信する質問によって相談者との間に会話を発生させ、即座に対応可能な相談員がいないことを理由に相談者が離脱してしまう可能性を低下させるとともに、相談者から相談内容に関する反応を引き出して（Ｓ２０４）、相談員の割り当てを効率化する。ＳＮＳは電話と異なり本来非同期であることから、このように相談員が直接最初から対応をしないかたちでのコミュニケーションを自然に始めることができる。
【００３３】
相談前質問は、図２では一往復の質問と回答のみを示しているが、相談内容を特徴づけるカテゴリの付与が可能な階層的な複数の質問とすることができる。たとえば、「どんなことを話したいの？」という質問をして、「友だち・学校のこと」「家族・自分のこと」「勉強・進学のこと」「ちょっと話がしたい」「心がモヤモヤする」といった回答を得ることができる。「友だち・学校のこと」という回答を得た場合、「友だち・学校のことでどんな悩みがあるの？」という質問をして、「いじめ」「先生のこと」「学校での出来事」といった回答を得ることができる。「いじめ」という回答を得た場合、「いじめのことでどうしたの？」という質問をして、「自分がいじめられている」「友だちがいじめられている」「友だちをいじめてしまう」「いじめて来いと言われる」「相談できる大人がいない」といった回答を得ることができる。
【００３４】
このような相談前質問に対する１又は複数の回答に基づいて、支援サーバ１００は、相談内容に当該回答に対応する「いじめ」といったカテゴリ、あるいはさらに細分したカテゴリを付与することができる（Ｓ２０５）。カテゴリとしては、「自殺」「いじめ」「自己の悩み」「虐待」などが考えられ、相談者に対して行う階層的な複数の質問への回答毎の分岐により、いずれかのカテゴリを付与することができる。１又は複数の質問に対する１又は複数の回答とカテゴリとの対応づけは、事前に定めた分岐ではなく、機械学習による学習済みモデルによって得るようにしてもよく、記憶部１０３又は装置１００からアクセス可能な記憶媒体又は記憶装置に記憶しておけばよい。
【００３５】
カテゴリ付与の後にいずれかの相談員の相談が終了した場合、支援サーバ１００は、当該相談員の相談員端末１３０から終了通知を受信する（Ｓ２０６）。支援サーバ１００は、終了通知に応じて各相談員の稼働状況を更新し、当該相談員を当該相談者に割り当て可能である場合（Ｓ２０７）、相談員端末１３０に対し、割り当て通知を送信する（Ｓ２０８）。相談員は、相談者に割り当てられた場合、当該相談者にメッセージを送信する（Ｓ２０９）。
【００３６】
割り当て可否の判断及び割り当て通知は支援サーバ１００ではなく管理者が行うこともできる点は上述のとおりである。あるいは、終了通知と共に又はその後に相談を終了した相談員がその相談員端末１３０に表示される相談員を割り当てるべき１又は複数の相談者のリストを見て、自ら対応する相談者を選択してもよい。
【００３７】
各相談員の対応可能なカテゴリを記憶部１０３又は装置１００からアクセス可能な記憶媒体又は記憶装置に記憶しておけば、相談内容にカテゴリを付与することで、当該相談内容に適切に対応可能な相談員の割り当てを行うことができる。
【００３８】
より一般には、上述の説明では、相談前質問は新たな相談に割り当て可能な相談員がいない場合に行うものとして行ったが、相談対応中ではない相談員がいる場合においても、相談前質問によって相談者から相談内容に関する反応を引き出して、当該相談に適切に対応可能な能力を有する相談員を当該相談者に効率的に割り当てることができる。
【００３９】
支援サーバ１００における処理に着目すれば、カテゴリが付与されるまでの流れは図３に示すようになる。
【００４０】
なお、「××のみに基づいて」、「××のみに応じて」、「××のみの場合」というように「のみ」との記載がなければ、本明細書においては、付加的な情報も考慮し得ることが想定されていることに留意されたい。また、一例として、「Ａの場合にＢする」という記載は、「Ａの場合に常にＢする」ことを必ずしも意味しないことに留意されたい。
【００４１】
また、念のため、なんらかの方法、プログラム、端末、装置、サーバ又はシステム（以下「方法等」）において、本明細書で記述された動作と異なる動作を行う側面があるとしても、本発明の各態様は、本明細書で記述された動作のいずれかと同一の動作を対象とするものであり、本明細書で記述された動作と異なる動作が存在することは、当該方法等を本発明の各態様の範囲外とするものではないことを付言する。
【００４２】
（第２の実施形態）  
第１の実施形態によって相談内容に付与可能な複数のカテゴリには、優先順位を設定することが可能である。当該優先順位は、記憶部１０３又は装置１００からアクセス可能な記憶媒体又は記憶装置に記憶しておくことができる。たとえば子どもを対象とした場合、「自殺」を１位、「いじめ」を２位、「自己の悩み」及び「虐待」を３位とする例が考えられる。
【００４３】
本実施形態においては、支援サーバ１００が相談員の割り当てを行う場合には、優先順位の高いカテゴリの相談を求める相談者への相談員の割り当てを優先する。より具体的には、いずれかの相談者の相談内容に付与されたカテゴリを含む複数のカテゴリの相談に対応可能な相談員が割り当て可能となった場合、当該相談者の相談内容に付与されたカテゴリが他の相談者の相談内容に付与されたカテゴリよりも高い優先順位であるとき、当該相談者に当該相談員を割り当てる。
【００４４】
支援サーバ１００ではなく管理者が割り当てを行う場合には、管理者端末１４０に優先順位の高いカテゴリの１又は複数の相談者のリストを強調して表示し（図４参照）、支援サーバ１００ではなく相談対応が終了した相談員が自ら相談者を選択する場合には、相談者端末１３０に優先順位の高いカテゴリの１又は複数の相談者のリストを強調して表示することができる。強調表示は、一例として優先順位の高いカテゴリの１又は複数の相談者の上方への表示とすることができる。
【００４５】
（第３の実施形態）  
第１又は第２の実施形態において付与されるカテゴリに属する相談内容を抱える相談者の数が当該カテゴリに属する相談内容に割り当て可能な相談員の数を超える場合は、相談員を割り当てるべき１又は複数の相談者が待ち状態になる。本実施形態においては、各相談内容の重要度をスコアリングして、各カテゴリの待ち状態の相談者の序列化を行う。これによって、深い悩みを抱えた相談者に対して早期に相談員を割り当て可能となる。
【００４６】
スコアリングは、一例としてカテゴリ付与の後に引き続き割り当て可能な相談員がいない場合に相談者端末１２０において入力された内容に基づいて行うことができる。具体的には、キーワードに対してカテゴリ毎のスコアを予め定めておき、入力された内容に含まれる１又は複数のキーワードのスコアの合計値又はこれに対応する値を当該相談内容のスコアとしてもよい。相談者が追加で入力を行った場合にはスコアを更新すればよく、入力が増えるにつれてスコアが０から上がっていくことになる。相談前質問に対する回答は選択式とすることができるが記述式とする場合には、相談前質問に対する回答として記述された内容をスコアリングに用いることもできる。
【００４７】
図４のように管理者端末１４０に相談員を割り当てるべき１又は複数の相談者を表示する場合には、スコアの高い相談者を強調表示することができ、スコアは各相談者の入力に応じて更新可能である。強調表示は、一例としてスコアの高い相談者の上方への表示とすることができる。このことは、相談員端末１３０に表示を行う場合も同様である。
【００４８】
いずれかの相談者の相談内容に付与されたカテゴリの相談に対応可能な相談員が割り当て可能となった場合、当該相談内容のスコアが当該カテゴリが付与された他の相談内容のスコアよりも高いとき、当該相談者に当該相談員を割り当てることができる。図４の例で自殺カテゴリについてみれば、ユーザＡＡのスコアは４０でユーザＢＢのスコアは２１であるから、自殺カテゴリの相談に対応可能な相談員が相談を終了して割り当て可能となった場合、支援サーバ１００は、ユーザＡＡに当該相談員を割り当てることができる。この際、支援サーバ１００は、当該相談員の相談員端末１３０に割り当て通知を送信してもよい。
【００４９】
スコアが所定の閾値に達した場合又は閾値を超えた場合、支援サーバ１００は、管理者端末１４０に緊急通知を送信することができる。緊急通知は、深刻な悩みを抱えた相談者が待ち状態にあることを伝えるもので、これを受けて管理者は、当該相談に対応可能な相談員に対応中の相談を終了させて又は対応中の相談を他の相談員に交代させて、当該相談者に相談員を割り当てることが望ましい。あるいは、当該相談に対応可能な相談員の相談員端末１３０に緊急通知を送信して、当該相談員に当該相談への対応を促すことが望ましい。
【００５０】
相談前質問の後に「待っている間に自由に悩んでいることを書いてくれると相談員がしっかりとお話を聞きやすくなります。」といったメッセージを支援サーバ１００から相談者端末１２０に送信して、発言、すなわち相談内容についての入力を引き出すのが好ましい。
【００５１】
相談者による入力が得られた場合、支援サーバ１００は、入力された内容に対する感情分析を行って心理状態を推測し、心理状態に応じたメッセージを相談者端末１２０に送信して、一層発言を引き出すことが考えられる。一例として「つもり」「したい」「できる」などの語が入力された内容に含まれる場合に各語に対応する心理状態に相談者はあると推測することが挙げられる。
【００５２】
（第４の実施形態）  
想定される相談数に応じて十分な数の相談員を揃えることが好ましいが、一定の予算の中で悩み相談を実施していくためには、相談員による実相談対応が必要な件数を減らすことも有益である。そのために、本実施形態では、相談前質問を支援サーバ１００から相談者端末１２０に送信する前に心理テストを送信して提供する。心理テストを受ける過程で気持ちの整理がつき、自己解決することが考えられ、待ち状態の相談者のリストを短くすることができる。より一般に、本実施形態では、心理テストに限らず、相談者が自らの相談内容について理解を深めるためのコンテンツを送信して提供する。コンテンツの提供は、相談前質問の送信前ではなく、送信後であって相談員の割り当て前としてもよい。
【符号の説明】
【００５３】
１００  支援サーバ
１０１  通信部
１０２  処理部
１０３  記憶部
１１０  ＳＮＳサーバ
１２０  相談者端末
１３０  相談員端末
１４０  管理者端末
【図１】
2020059724.tif 000003
【図２】
2020059724.tif 000004
【図３】
2020059724.tif 000005
【図４】
2020059724.tif 000006
【国際調査報告】
2020059724.tif 000007
2020059724.tif 000008